(57)【要約】【課題】負荷での負荷電力の推定精度を高めることが可能な負荷電力推定装置を提供する。【解決手段】本発明の一実施形態に係る負荷電力推定装置１００は、自家電力源７の出力電力の大きさに応じた大きさを有すると共に、電力系統２の基本波に同期した基本波の非整数倍の周波数を有する次数間高調波信号を電力系統２に注入する信号注入部１０と、需要家５の受電点５ａにおける受電電圧及び受電電流から受電電力を求める受電電力演算部３０と、受電点５ａにおける次数間高調波信号を抽出する信号抽出部１１と、抽出した次数間高調波信号から自家電力源７の出力電力を求める自家電力演算部１２と、受電電力演算部３０によって求めた受電電力と、自家電力演算部１２によって求めた自家電力源７の出力電力とから、負荷６での負荷電力を求める負荷電力演算部４０とを備える。【選択図】図１
2015154605.tif 000002
【特許請求の範囲】
【請求項１】
電力系統から電力供給を受けると共に、自家電力源を備える需要家における負荷での負荷電力を推定する負荷電力推定装置であって、
前記自家電力源側に設けられ、前記自家電力源の出力電力の大きさに応じた大きさを有すると共に、前記電力系統の基本波に同期した前記基本波の非整数倍の周波数を有する次数間高調波信号を生成し、前記次数間高調波信号を前記電力系統に注入する信号注入部と、
前記需要家の受電点における受電電圧及び受電電流から受電電力を求める受電電力演算部と、
前記需要家の受電点における前記次数間高調波信号を抽出する信号抽出部と、
前記信号抽出部によって抽出した前記次数間高調波信号から前記自家電力源の出力電力を求める自家電力演算部と、
前記受電電力演算部によって求めた前記受電電力と、前記自家電力演算部によって求めた前記自家電力源の出力電力とから、前記負荷での負荷電力を求める負荷電力演算部と、
を備える負荷電力推定装置。
【請求項２】
電力系統から電力供給を受けると共に、第１及び第２の自家電力源を備える需要家における負荷での負荷電力を推定する負荷電力推定装置であって、
前記第１の自家電力源側に設けられ、前記第１の自家電力源の出力電力の大きさに応じた大きさを有すると共に、前記電力系統の基本波に同期した前記基本波の非整数倍の第１の周波数を有する第１の次数間高調波信号を生成し、前記第１の次数間高調波信号を前記電力系統に注入する第１の信号注入部と、
前記第２の自家電力源側に設けられ、前記第２の自家電力源の出力電力の大きさに応じた大きさを有すると共に、前記電力系統の基本波に同期した前記基本波の非整数倍の第２の周波数であって、前記第１の周波数と異なる前記第２の周波数を有する第２の次数間高調波信号を生成し、前記第２の次数間高調波信号を前記電力系統に注入する第２の信号注入部と、
前記需要家の受電点における受電電圧及び受電電流から受電電力を求める受電電力演算部と、
前記需要家の受電点における前記第１の次数間高調波信号を抽出する第１の信号抽出部と、
前記需要家の受電点における前記第２の次数間高調波信号を抽出する第２の信号抽出部と、
前記第１の信号抽出部によって抽出した前記第１の次数間高調波信号から前記第１の自家電力源の出力電力を求める第１の自家電力演算部と、
前記第２の信号抽出部によって抽出した前記第２の次数間高調波信号から前記第２の自家電力源の出力電力を求める第２の自家電力演算部と、
前記受電電力演算部によって求めた前記受電電力と、前記第１の自家電力演算部によって求めた前記第１の自家電力源の出力電力と、前記第２の自家電力演算部によって求めた前記第２の自家電力源の出力電力とから、前記負荷での負荷電力を求める負荷電力演算部と、
を備える負荷電力推定装置。
【発明の詳細な説明】
【技術分野】
【０００１】
本発明は、電力系統から電力供給を受けると共に、自家電力源を備える需要家における負荷での負荷電力を推定する負荷電力推定装置に関するものである。
【背景技術】
【０００２】
電力事業者の電力系統から電力供給を受ける需要家において、太陽光発電装置（例えば、Photovoltaic- Power Conditioning System：ＰＶ−ＰＣＳ）や蓄電装置（例えば、BatteryEnergy Storage System：ＢＥＳＳ）などの自家電力源を備えることが知られている。また、この種の需要家において、ピークカットやピークシフト等のエネルギーマネジメントを行うことが知られている。この種のエネルギーマネジメントを行うためには、需要家における負荷での負荷電力（消費電力、負荷量）を把握することが重要である。特許文献１には、需要家における負荷での負荷電力を把握するための負荷電力推定装置が開示されている。
【０００３】
特許文献１に記載の負荷電力推定装置は、高調波成分計算部と、データベースと、有効電力推定部とを備え、高調波成分計算部によって、需要家に供給される電力、すなわち需要家の受電点（電力系統と需要家との接続点、連系点）における電力を計測し、この電力の高調波成分（基本波５０Ｈｚ／６０Ｈｚの整数倍の周波数成分）をそれぞれ求め、有効電力推定部によって、データベースに予め記録された各負荷固有の高調波含有率（高調波成分の割合）に基づいて、各負荷での負荷電力を推定する。
【先行技術文献】
【特許文献】
【０００４】
【特許文献１】特開２０１３−１９８２２３号公報
【発明の概要】
【発明が解決しようとする課題】
【０００５】
しかしながら、電力系統には、自身固有の高調波、又は、他の需要家からの高調波が存在するので、特許文献１に記載の負荷電力推定装置では、電力系統固有の高調波、又は、他の需要家からの高調波の影響により、負荷での負荷電力を正確に推定することが困難であると予想される。
【０００６】
そこで、本発明は、負荷での負荷電力の推定精度を高めることが可能な負荷電力推定装置を提供することを目的とする。
【課題を解決するための手段】
【０００７】
本発明の負荷電力推定装置は、電力系統から電力供給を受けると共に、自家電力源を備える需要家における負荷での負荷電力を推定する負荷電力推定装置であって、自家電力源側に設けられ、自家電力源の出力電力の大きさに応じた大きさを有すると共に、電力系統の基本波に同期した基本波の非整数倍の周波数を有する次数間高調波信号を生成し、次数間高調波信号を電力系統に注入する信号注入部と、需要家の受電点における受電電圧及び受電電流から受電電力を求める受電電力演算部と、需要家の受電点における次数間高調波信号を抽出する信号抽出部と、信号抽出部によって抽出した次数間高調波信号から自家電力源の出力電力を求める自家電力演算部と、受電電力演算部によって求めた受電電力と、自家電力演算部によって求めた自家電力源の出力電力とから、負荷での負荷電力を求める負荷電力演算部とを備える。
【０００８】
この負荷電力推定装置では、電力系統の基本波に同期した基本波の非整数倍の周波数を有する次数間高調波信号を、信号注入部によって電力系統に注入し、信号抽出部によって抽出する。ここで、電力系統には、基本波の整数倍の高調波は存在するが、基本波の非整数倍の高調波は存在しないので、この負荷電力推定装置によれば、電力系統固有の高調波又は他の需要家からの高調波に影響されることなく、次数間高調波信号の注入／抽出を行うことができる。
【０００９】
また、この負荷電力推定装置によれば、信号注入部によって注入される次数間高調波信号が自家電力源の出力電力の大きさに応じた大きさを有し、自家電力演算部は、信号抽出部によって抽出される次数間高調波信号から自家電力源の出力電力を求めるので、上記したように電力系統固有の高調波又は他の需要家からの高調波に影響されることなく、自家電力源の出力電力の推定精度を高めることができる。
【００１０】
また、この負荷電力推定装置によれば、高精度の自家電力源の出力電力に基づいて、負荷電力演算部によって負荷での負荷電力を求めるので、上記したように電力系統固有の高調波又は他の需要家からの高調波に影響されることなく、負荷での負荷電力の推定精度を高めることができる。
【００１１】
また、この負荷電力推定装置によれば、負荷電力を把握するために、自家電力源ごとに計測器を設ける必要がなく、また、計測結果を伝送するための通信設備を設ける必要がない。
【００１２】
本発明の別の負荷電力推定装置は、電力系統から電力供給を受けると共に、第１及び第２の自家電力源を備える需要家における負荷での負荷電力を推定する負荷電力推定装置であって、第１の自家電力源側に設けられ、第１の自家電力源の出力電力の大きさに応じた大きさを有すると共に、電力系統の基本波に同期した基本波の非整数倍の第１の周波数を有する第１の次数間高調波信号を生成し、第１の次数間高調波信号を電力系統に注入する第１の信号注入部と、第２の自家電力源側に設けられ、第２の自家電力源の出力電力の大きさに応じた大きさを有すると共に、電力系統の基本波に同期した基本波の非整数倍の第２の周波数であって、第１の周波数と異なる第２の周波数を有する第２の次数間高調波信号を生成し、第２の次数間高調波信号を電力系統に注入する第２の信号注入部と、需要家の受電点における受電電圧及び受電電流から受電電力を求める受電電力演算部と、需要家の受電点における第１の次数間高調波信号を抽出する第１の信号抽出部と、需要家の受電点における第２の次数間高調波信号を抽出する第２の信号抽出部と、第１の信号抽出部によって抽出した第１の次数間高調波信号から第１の自家電力源の出力電力を求める第１の自家電力演算部と、第２の信号抽出部によって抽出した第２の次数間高調波信号から第２の自家電力源の出力電力を求める第２の自家電力演算部と、受電電力演算部によって求めた受電電力と、第１の自家電力演算部によって求めた第１の自家電力源の出力電力と、第２の自家電力演算部によって求めた第２の自家電力源の出力電力とから、負荷での負荷電力を求める負荷電力演算部とを備える。
【００１３】
この負荷電力推定装置によれば、上記した利点に加え、２以上の自家電力源を備える場合、それぞれのために用いる次数間高調波信号の周波数を異ならせるので、自家電力源それぞれの出力電力の推定精度を高めることができ、その結果、これらの自家電力源の出力電力に基づいて負荷電力演算部によって求められる負荷での負荷電力の推定精度を高めることができる。
【発明の効果】
【００１４】
本発明によれば、負荷での負荷電力の推定精度を高めることができる。
【図面の簡単な説明】
【００１５】
【図１】本発明の実施形態に係る負荷電力推定装置であって、電力系統から電力供給を受けると共に、自家電力源を備える需要家における負荷での負荷電力を推定する負荷電力推定装置を示す図である。
【発明を実施するための形態】
【００１６】
以下、図面を参照して本発明の好適な実施形態について詳細に説明する。なお、各図面において同一又は相当の部分に対しては同一の符号を附すこととする。
【００１７】
図１は、本発明の実施形態に係る負荷電力推定装置であって、電力系統から電力供給を受けると共に、自家電力源を備える需要家における負荷での負荷電力を推定する負荷電力推定装置を示す図である。図１に示すように、電力系統２は、配電用変電所３よりも上位側（系統電源１側）の上位系統２ａと、変電所３よりも下位側の配電系統２ｂとを有しており、変電所３は変圧器３ａと遮断器３ｂとを備えている。電力系統２には、需要家設備５が接続されている。
【００１８】
需要家設備５は、負荷６と、第１及び第２の自家電力源７，８と、本実施形態の負荷電力推定装置１００と、エネルギーマネジメント部２００とを備えている。負荷６は、需要家における電気機器等であり、電力系統２における需要家設備５の受電点５ａに接続されている。
【００１９】
また、第１及び第２の自家電力源７，８も、電力系統２における需要家設備５の受電点５ａに接続されている。第１の自家電力源７は、例えば、太陽電池（Photovoltaic：ＰＶ）７ａと、太陽電池７ａから出力される直流電力を交流電力に変換するインバータを含むパワーコンディショナーシステム（Power Conditioning System：ＰＣＳ）７ｂとを有する太陽光発電装置（Photovoltaic - Power Conditioning System：ＰＶ−ＰＣＳ）である。一方、第２の自家電力源８は、例えば、充放電可能な蓄電装置（Battery Energy Storage System：ＢＥＳＳ）である。
【００２０】
負荷電力推定装置１００は、第１及び第２の信号注入部１０，２０と、第１及び第２の信号抽出部１１，２１と、第１及び第２の自家電力演算部１２，２２と、受電電力演算部３０と、負荷電力演算部４０と、表示部５０とを備えている。
【００２１】
第１の信号注入部１０は、第１の自家電力源７近傍に設けられ、電力系統２の基本波に同期した基本波の非整数倍の第１の周波数を有する第１の次数間高調波信号を生成し、この第１の次数間高調波信号を電力系統２に注入する。
【００２２】
例えば、第１の信号注入部１０は、電力系統２の基本波電圧（例えば、５０Ｈｚ／６０Ｈｚ）に周波数同期した同期信号を生成し、この同期信号を所定の逓倍比で逓倍することによって、電力系統２の基本波電圧の非整数倍の第１の周波数を有する電流信号、すなわち第１の次数間高調波信号を生成する。例えば、第１の次数間高調波信号（電流）の第１の周波数は、２．２次に予め設定される。
【００２３】
また、第１の信号注入部１０は、第１の自家電力源７の出力電力の大きさに比例するように、第１の次数間高調波信号（電流）の大きさを設定する。例えば、第１の次数間高調波信号（電流）の大きさは、第１の自家電力源７の現在の出力電力の大きさの２％程度に設定されればよい。電力系統には、基本波の整数倍の高調波は存在するが、非整数倍の高調波は存在しないので、このように、第１の次数間高調波信号（電流）の大きさを小さくすることが可能となる。
【００２４】
そして、第１の信号注入部１０は、例えば、第１の次数間高調波信号によってＰＣＳ７ｂにおけるインバータの出力を変調することにより、第１の次数間高調波信号に応じた電流信号を電力系統２に注入する。
【００２５】
一方、第２の信号注入部２０は、第２の自家電力源８近傍に設けられ、電力系統２の基本波に同期した基本波の非整数倍の第２の周波数であって、第１の周波数と異なる第２の周波数を有する第２の次数間高調波信号を生成し、この第２の次数間高調波信号を電力系統２に注入する。
【００２６】
例えば、第２の信号注入部２０は、電力系統２の基本波電圧（例えば、５０Ｈｚ／６０Ｈｚ）に周波数同期した同期信号を生成し、この同期信号を所定の逓倍比で逓倍することによって、電力系統２の基本波電圧の非整数倍の第２の周波数を有する電流信号、すなわち第２の次数間高調波信号を生成する。例えば、第２の次数間高調波信号（電流）の第２の周波数は、２．４次に予め設定される。
【００２７】
また、第２の信号注入部２０は、第２の自家電力源８の出力電力の大きさに比例するように、第２の次数間高調波信号（電流）の大きさを設定する。例えば、第２の次数間高調波信号（電流）の大きさは、第２の自家電力源８の現在の出力電力の大きさの１％程度に設定されればよい。上記したように、電力系統には、基本波の整数倍の高調波は存在するが、非整数倍の高調波は存在しないので、このように、第２の次数間高調波信号（電流）の大きさを小さくすることが可能となる。
【００２８】
そして、第２の信号注入部２０は、例えば、第２の次数間高調波信号（電流）を第２の自家電力源８の出力電力に重畳させる。
【００２９】
また、第２の信号注入部２０は、第２の自家電力源８の充電時に、第２の次数間高調波信号（電流）の注入量が負の値とならないように、第２の次数間高調波信号（電流）に所定のオフセットを設定してもよい。例えば、第２の次数間高調波信号（電流）の大きさが第２の自家電力源８の出力電力の大きさの１％程度に設定される場合、第２の次数間高調波信号（電流）の所定のオフセットは、同様に、第２の自家電力源８の定格充電電力の大きさの１％程度に設定されればよい。
【００３０】
次に、第１の信号抽出部１１は、需要家設備５の受電点５ａにおける受電電流から、第１の次数間高調波信号（電流）を抽出する。例えば、第１の信号抽出部１１は、受電点５ａ近傍に設けられた計器用変流器ＣＴを介して計測される受電点５ａでの受電電流から、フーリエ解析を用いて第１の次数間高調波信号の電流成分を求める。
【００３１】
第１の自家電力演算部１２は、第１の信号抽出部１１によって抽出した第１の次数間高調波信号（電流）の大きさから、第１の自家電力源７の出力電力（発電量）を求める。例えば、第１の信号注入部１０によって、第１の次数間高調波信号（電流）の大きさが第１の自家電力源７の出力電力の大きさの２％程度に圧縮される場合、第１の自家電力演算部１２は、この圧縮比に応じて、抽出された第１の次数間高調波信号（電流）の大きさを換算する。
【００３２】
同様に、第２の信号抽出部２１は、需要家設備５の受電点５ａにおける受電電流から、第２の次数間高調波信号（電流）を抽出する。例えば、第２の信号抽出部２１は、受電点５ａ近傍に設けられた計器用変流器ＣＴを介して計測される受電点５ａでの受電電流から、フーリエ解析を用いて第２の次数間高調波信号の電流成分を求める。
【００３３】
第２の自家電力演算部２２は、第２の信号抽出部２１によって抽出した第２の次数間高調波信号（電流）の大きさ、及び、上記した所定のオフセットから、第２の自家電力源８の入出力電力（充放電量）を求める。例えば、第２の信号注入部２０によって、第２の次数間高調波信号（電流）の大きさが第２の自家電力源８の出力電力の大きさの１％程度に圧縮される場合、第２の自家電力演算部２２は、この圧縮比に応じて、また上記した所定のオフセットを考慮して、抽出された第２の次数間高調波信号（電流）の大きさを換算する。
【００３４】
次に、受電電力演算部３０は、需要家設備５の受電点５ａにおける受電電圧及び受電電流から、需要家設備５の受電電力を求める。例えば、受電電力演算部３０は、受電点５ａ近傍に設けられた計器用変圧器ＶＴを介して計測した受電電圧と、計器用変流器ＣＴを介して計測される受電点５ａでの受電電流とを演算することにより、需要家設備５の受電電力を求める。
【００３５】
次に、負荷電力演算部４０は、受電電力演算部３０によって求めた需要家設備５の受電電力と、第１の自家電力演算部１２によって求めた第１の自家電力源７の出力電力と、第２の自家電力演算部２２によって求めた第２の自家電力源８の入出力電力とから、負荷６での負荷電力を求める。具体的には、負荷６での負荷電力は、受電点５ａでの受電電力から、第１の自家電力源７の出力電力（発電量）及び第２の自家電力源８の入出力電力（充放電量）を差し引いた電力である。
【００３６】
次に、表示部５０は、例えば液晶ディスプレイであり、負荷電力演算部４０によって求めた負荷６での負荷電力を表示する。また、表示部５０は、第１の自家電力演算部１２によって求めた第１の自家電力源７の出力電力（発電量）、及び、第２の自家電力演算部２２によって求めた第２の自家電力源８の入出力電力（充放電量）を表示してもよい。また、表示部５０は、受電電力演算部３０によって求めた需要家設備５の受電電力を表示してもよい。
【００３７】
次に、エネルギーマネジメント部２００は、負荷電力演算部４０によって求めた負荷６での負荷電力、第１の自家電力演算部１２によって求めた第１の自家電力源７の出力電力（発電量）、第２の自家電力演算部２２によって求めた第２の自家電力源８の入出力電力（充放電量）、及び、受電電力演算部３０によって求めた需要家設備５の受電電力のうちの何れかに基づいて、第１の自家電力源７の出力電力（発電量）、及び、第２の自家電力源８の入出力電力（充放電量）を制御することにより、又は、負荷６での負荷量を制御することにより、ピークカットやピークシフト等のエネルギーマネジメントを行う。
【００３８】
以上説明したように、本実施形態の負荷電力推定装置１００では、電力系統２の基本波に同期した基本波の非整数倍の第１の周波数を有する第１の次数間高調波信号を、第１の信号注入部１０によって電力系統２に注入し、第１の信号抽出部１１によって抽出する。同様に、本実施形態の負荷電力推定装置１００では、電力系統２の基本波に同期した基本波の非整数倍の第２の周波数を有する第２の次数間高調波信号を、第２の信号注入部２０によって電力系統２に注入し、第２の信号抽出部２１によって抽出する。ここで、電力系統２には、基本波の整数倍の高調波は存在するが、基本波の非整数倍の高調波は存在しないので、本実施形態の負荷電力推定装置１００によれば、電力系統固有の高調波、又は、電力系統２に接続されている他の需要家設備からの高調波に影響されることなく、第１及び第２の次数間高調波信号の注入／抽出を行うことができる。
【００３９】
また、本実施形態の負荷電力推定装置１００によれば、第１の信号注入部１０によって注入される第１の次数間高調波信号が第１の自家電力源７の出力電力（発電量）の大きさに応じた大きさを有し、第１の自家電力演算部１２は、第１の信号抽出部１１によって抽出される第１の次数間高調波信号から第１の自家電力源７の出力電力（発電量）を求めるので、同様に、第２の信号注入部２０によって注入される第２の次数間高調波信号が第２の自家電力源８の入出力電力（充放電量）の大きさに応じた大きさを有し、第２の自家電力演算部２２は、第２の信号抽出部２１によって抽出される第２の次数間高調波信号から第２の自家電力源８の入出力電力（充放電量）を求めるので、上記したように電力系統固有の高調波又は他の需要家設備からの高調波に影響されることなく、第１の自家電力源７の出力電力（発電量）の推定精度、及び、第２の自家電力源８の入出力電力（充放電量）の推定精度を高めることができる。
【００４０】
また、本実施形態の負荷電力推定装置１００によれば、高精度の第１の自家電力源７の出力電力（発電量）、及び、高精度の第２の自家電力源８の入出力電力（充放電量）に基づいて、負荷電力演算部４０によって負荷６での負荷電力を求めるので、上記したように電力系統固有の高調波又は他の需要家設備からの高調波に影響されることなく、負荷６での負荷電力の推定精度を高めることができる。
【００４１】
また、本実施形態の負荷電力推定装置１００によれば、２つの第１及び第２の自家電力源７，８を備える場合、それぞれのために用いる第１及び第２の次数間高調波信号の周波数を異ならせるので、第１の自家電力源７の出力電力（発電量）の推定精度、及び、第２の自家電力源８の入出力電力（充放電量）の推定精度を高めることができ、その結果、これらの第１の自家電力源７の出力電力（発電量）、及び、第２の自家電力源８の入出力電力（充放電量）に基づいて負荷電力演算部４０によって求められる負荷６での負荷電力の推定精度を高めることができる。
【００４２】
また、本実施形態の負荷電力推定装置１００によれば、負荷電力を把握するために、第１及び第２の自家電力源７，８ごとに計測器を設ける必要がなく、また、計測結果を伝送するための通信設備を設ける必要がない。
【００４３】
なお、本発明は上記した本実施形態に限定されることなく種々の変形が可能である。例えば、本実施形態では、２つの自家電力源を備える需要家設備のための負荷電力推定装置を例示したが、本発明の特徴は、少なくとも１つの自家電力源を備える需要家設備のための負荷電力推定装置にも適用可能である。
【００４４】
また、本実施形態では、自家電力源として太陽光発電装置（ＰＶ−ＰＣＳ）及び蓄電装置（ＢＥＳＳ）を例示したが、本発明の特徴は、太陽光発電装置（ＰＶ−ＰＣＳ）以外の発電装置や、ＢＥＳＳ以外の蓄電装置を自家電力源として備える需要家設備のための負荷電力推定装置にも適用可能である。
【００４５】
なお、自家電力源として回転機（同期発電機等）が用いられる場合、次数間高調波信号（電流）を回転機の出力に重畳することとなるが、その際、次数間高調波信号（電流）が回転機へ分流してしまうことが予想される。この場合、自家電力演算部は、回転機のリアクタンスから、次数間高調波信号（電流）の回転機への分流比を求め、この分流比を考慮して、自家電力源の出力電力を求めればよい。
【００４６】
また、本実施形態では、単相の形態を例示したが、本発明の特徴は、三相の形態にも適用可能である。なお、三相の形態の場合、電力系統への基準信号及び次数間高調波信号の注入方法としては、単相注入でも三相注入でもよい。
【００４７】
また、本発明の特徴は、次数間高調波信号の注入点から計測点の間に変圧器が介在する形態にも適用可能である。この場合、自家電力演算部は、計測相、変圧比及び結線等を考慮して、自家電力源の出力電力を求めればよい。
【符号の説明】
【００４８】
１…系統電源、２…電力系統、２ａ…上位系統、２ｂ…配電系統、３…配電用変電所、３ａ…変圧器、３ｂ…遮断器、５…需要家設備（需要家）、５ａ…受電点、６…負荷、７…第１の自家電力源、８…第２の自家電力源、１０…第１の信号注入部、１１…第１の信号抽出部、１２…第１の自家電力演算部、２０…第２の信号注入部、２１…第２の信号抽出部、２２…第２の自家電力演算部、３０…受電電力演算部、４０…負荷電力演算部、５０…表示部、１００…負荷電力推定装置、２００…エネルギーマネジメント部、ＣＴ…計器用変流器、ＶＴ…計器用変圧器。
【図１】
2015154605.tif 000003